(57)【要約】【課題】建築及び産業用製品に多様に適用でき、広い周波数帯域に対して良好な吸音特性を有し、見栄えの良い外観効果を演出できる吸音型防音パネルを提供する。【解決手段】本発明は吸音型防音パネルに関するものであり、より具体的には、前面と後面を有し、水平方向に沿って伸び、前面と後面間に空間部が形成された本体；及び上記本体の空間部に収容され、前面及び後面に対してそれぞれ離隔配置された吸音材を含み、前記本体の前面には垂直方向に沿って凹部と凸部が交互に形成され複数の吸音ホールが形成されるが、全体吸音ホールの断面積は前面の断面積の２０％以上であることを特徴とし、本発明にかかる吸音型防音パネルは建築および産業用製品に多様に適用でき、広い周波数帯域に対して良好な吸音特性を有し、見栄えの良い外観効果を演出できる。【選択図】図１
2012530931.tif 000002
【特許請求の範囲】
【請求項１】
前面と後面を有し、水平方向に沿って延び、前面と後面間に空間部が形成された本体；及び
前記本体の空間部に収容され、前面及び後面に対してそれぞれ離隔配置され、単量４００ｇ/ｍ２以上の極細糸素材で形成された吸音材を含み、
前記本体の前面には垂直方向に沿って凹部と凸部及び複数の吸音ホールが形成されたことを特徴とする吸音型防音パネル。
【請求項２】
全体吸音ホールの断面積は、本体前面の断面積の２０％以上であることを特徴とする請求項１に記載の吸音型防音パネル。
【請求項３】
前記本体の前面及び後面には、それぞれ内側に突出された複数の補強突起が形成されたことを特徴とする請求項１に記載の吸音型防音パネル。
【請求項４】
前記本体には、空間部を複数の領域に区画する隔壁が形成されており、前記隔壁には吸音材を支持するために突出された固定ガイドが形成されたことを特徴とする請求項１に記載の吸音型防音パネル。
【請求項５】
前記吸音材と本体の後面間に形成された共鳴部は、５００〜１０００Ｈｚ帯域で共鳴構造を有することを特徴とする請求項１に記載の吸音型防音パネル。
【請求項６】
前記吸音材は、オレフィン系樹脂で形成されたことを特徴とする請求項１に記載の吸音型防音パネル。
【請求項７】
前記吸音材は、厚さが２０〜３０ｍｍであることを特徴とする請求項１に記載の吸音型防音パネル。
【請求項８】
前記本体の垂直方向の上段と下段には締結突起とこれに対応する締結溝がそれぞれ形成されていることを特徴とする請求項１に記載の吸音型防音パネル。
【発明の詳細な説明】
【技術分野】
【０００１】
本発明は、吸音型防音パネルに関するものであり、より具体的には、建築及び産業用製品に多様に適用でき、広い周波数帯域に対して良好な吸音特性を有し、見栄えの良い外観効果を演出できる吸音型防音パネルに関する。
【背景技術】
【０００２】
一般的に、防音壁は住宅街と隣接した道路や線路、騒音がひどく発生する各種施設物、及び工事の騒音が発生する地域の周辺に設けられて、このような騒音及び振動を遮断する役割をする。
【０００３】
通常、防音壁は機能別に遮音型、吸音型及び共鳴型に分けられ、遮音型防音壁としては、素材別にポリカーボネート又はポリアクリル等の透明型防音壁と、圧縮性型セメントパネル、プラスチックパネル等があり、吸音型防音壁としてはアルミニウムと亜鉛めっき鋼板からなる金属型防音壁と防腐木を利用した木材型防音壁、軽量コンクリート防音壁等がある。
【０００４】
このような防音壁のうち吸音型の場合は、多孔性物質、例えばガラス繊維、ポリエステル（ＰＥＴ）等を使用して吸音効果を表すようにした。しかし、このような多孔性吸音材を使用する場合は高周波帯域では優れた吸音性能を有するが、低周波帯域では制限的であり、高い吸音性能を表すために多孔性吸音材を厚く形成し、インテリア性を付与するために別の素材と接合させた後に使用しなければならないという問題点があった。
【０００５】
また、ポリエステルは、雨が降ると水を吸収するため、表面に撥水処理を施さなければならなく、この撥水処理によって吸音率が低下するという問題点があり、グラスウールやロックウールの場合は、飛散等の問題により表面にフィルム類でコーティングしなければならなく、このフィルムによって吸音率が劣るという問題点があった。
【０００６】
一方、金属型防音壁は、煤煙及び雨水により腐食及び変色する可能性が高く、木材型防音壁は、主に防腐木を使用しているため、長期間使用時には表面汚染、クラック及び変色の恐れがある。
【先行技術文献】
【特許文献】
【０００７】
【特許文献１】特開２００８‐１４４５８０号公報
【発明の概要】
【発明が解決しようとする課題】
【０００８】
本発明は、上記のような問題点を解決するためのものであり、本発明の目的は建築及び産業用製品に多様に適用でき、広い周波数帯域に対して良好な吸音特性を有し、見栄えの良い外観効果を演出できる吸音型防音パネルを提供するものである。
【課題を解決するための手段】
【０００９】
本発明の前記の目的を達成するために、
本発明の一側面によると、
前面と後面を有し、水平方向に沿って延び、前面と後面間に空間部が形成された本体；及び
前記本体の空間部に収容され、前面及び後面に対してそれぞれ離隔配置され、単量４００ｇ／ｍ２以上の極細糸素材で形成された吸音材を含み、
前記本体の前面には、垂直方向に沿って凹部と凸部、及び複数の吸音ホールが形成されたことを特徴とする吸音型防音パネルを提供する。
【発明の効果】
【００１０】
以上の通り、本発明にかかる吸音型防音パネルは、建築及び産業用製品に多様に適用でき、広い周波数帯域に対して良好な吸音特性を有し、見栄えの良い外観効果を演出できる。
【００１１】
また、本発明にかかる吸音型防音パネルは、押出し成形して一体型に製作できるため、製作及び施工が簡便で、合成木材からなるため天然質感が表れ、優れた耐水性及び耐候性を有する。
【図面の簡単な説明】
【００１２】
【図１】本発明の一実施例にかかる吸音型防音パネルの断面図である。
【図２】本発明の一実施例にかかる吸音型防音パネルの断面図である。
【図３】本発明の一実施例にかかる吸音型防音パネルの斜視図である。
【図４】本発明の一実施例にかかる吸音型防音パネルの切開斜視図である。
【発明を実施するための形態】
【００１３】
以下、本発明の一実施例にかかる吸音型防音パネルを添付の図面を参考して詳しく説明する。添付の図面は、本発明の例示的な形態を図示したものであり、これは本発明をより詳しく説明するために提供するものであるだけで、これによって本発明の技術的な範囲が限定されるのではない。
【００１４】
図１及び図２は本発明の一実施例にかかる吸音型防音パネルの断面図で、図３は本発明の一実施例にかかる吸音型防音パネルの斜視図で、図４は本発明の一実施例にかかる吸音型防音パネルの切開斜視図である。
【００１５】
本発明の一実施例にかかる吸音型防音パネル１は、本体１０及び前記本体内に配置された吸音材２０を含む。
【００１６】
ここで、前記本体１０は前面１１と後面１５を有し、水平方向に沿って延び、前面１１と後面１５間に空間部３０，４０が形成される。
【００１７】
また、前記本体１０の前面１１には垂直方向に沿って凹部１２と凸部１３が交互に形成され、複数の吸音ホール１４が形成されて、前記本体１０はオレフィン系列のプラスチック樹脂と木粉を混合したコンパウンドを押出し成形して一体に製作でき、凹凸構造を有する前面１１はルーバー形態を表し、空間部３０，４０は騒音を減衰させる役割をする。
【００１８】
一方、前記凹部１２と凸部１３には、表面に複数の凹凸を形成することができ、これにより表面で乱反射が起こるため、騒音が消散するという効果を得ることができる。
【００１９】
前記空間部３０，４０は、吸音材２０を基準に、吸音材２０と本体１０の前面１１間に形成された第１共鳴部３０と、吸音材２０と本体１０の後面１５間に形成された第２共鳴部４０に区分され、吸音ホール１４から流れ込む騒音は１次的に第１共鳴部３０で消散され、順に吸音材２０と第２共鳴部４０により順次的に吸音及び消散される。
【００２０】
つまり、前記吸音ホール１４はヘルムホルツ共鳴器の役割をし、吸音ホール１４の形状は吸音性能及び外観効果を考慮して決定でき、これに制限はされないが、例えばスリット（ｓｌｉｔ）又は円形でもよい。前記吸音ホール１４の直径もまた、吸音性能を考慮して多様に決定でき、吸音ホール１４の全体面積は高い吸音性能のために前面１１の全体面積の２０％以上であることが好ましい。このとき、吸音ホール１４の全体面積が前記数値より低いと吸音性能が劣り、前記数値より大きい場合は特に制限はないが、外観効果等を考慮して３０〜４０％以下であることが好ましい。
【００２１】
前記吸音材２０は、優れた吸音または遮音性能を有する材料で形成でき、これに制限されるのではないが、例えばポリウレタン発泡フォーム、ポリウレア発泡フォーム、ポリ塩化ビニル発泡フォーム、ポリプロピレン発泡フォーム、ポリエチレン発泡フォーム、ポリスチレン発泡フォーム、ポリビニルアセテート発泡フォーム、メラミン発泡フォーム、フェノール発泡フォーム、アクリル発泡フォーム、不織布、繊維織物、グラスウール、ミネラルウール及びロックウールからなるグループから選ばれた一つ又は二つ以上が積層または接合されたものでもよい。
【００２２】
好ましくは、前記吸音材２０は環境にやさしい樹脂であるオレフィン系樹脂を利用した単量４００ｇ/ｍ２の極細糸からなり、これにより吸音材２０形成の厚さを２０〜３０ｍｍ（好ましくは約２６ｍｍ）に薄く形成できるため、防音型吸音パネルは全体の厚さが８０ｍｍ以下に形成できるため、スリム化が可能になる。
【００２３】
また、前記本体１０には前記本体１０の空間部３０，４０を複数の領域に区画するための隔壁１６が形成でき、前記吸音材２０を本体１０の前面１１及び後面１５に対してそれぞれ離隔配置させることができるように、前記隔壁及び本体の内面には固定ガイド１７が突出形成できる。
【００２４】
吸音材２０と本体１０の後面１５間に形成された第２共鳴部４０は、ヘルムホルツ共鳴器の役割をし、低周波領域で吸音性能を発揮するように構成される。現在のＫＳ企画であるＫＳＦ４７７０−３では、２５０Ｈｚ、５００Ｈｚ、１０００Ｈｚ、２０００Ｈｚの吸音率を算出平均して０．７以上が満たされるように規定されており、よって本発明の一実施例にかかる吸音型防音パネルでは、第２共鳴部４０が５００〜１０００Ｈｚで共鳴構造を有するものが好ましく、吸音材２０は１０００Ｈｚ以上で高い吸音率を有する素材で形成されるものが好ましい。
【００２５】
第１共鳴部３０の場合は、吸音ホール１４の面積と第１共鳴部３０の体積によって騒音を減衰させる周波数帯域が決定され、本発明の一実施例にかかる吸音型防音パネル１では一つの吸音ホール１４に従って二つの共鳴構造３０，４０を有することにより、高い吸音性能が表れる。
【００２６】
また、前記本体１０の前面１１（特に凹部１２）及び後面１５にはそれぞれ内側に突出された補強突起Ｒがそれぞれ形成され、このような補強突起Ｒは吸音型防音パネル１０の構造的安定性に寄与し、第１及び第２共鳴部３０，４０を複数の空間に区画する機能を行う。
【００２７】
また、図２を参照すると、施工時の組立てを容易にするために吸音型防音パネル１の本体１０の垂直方向の上段と下段には締結突起１８とこれに対応する締結溝１９がそれぞれ形成されている。
【００２８】
本発明の一実施例にかかる吸音型防音パネル１は、本体１０が押出し物のため、長さ方向の両終端が開放されており、これによって吸音ホール１４から流れ込んだ騒音が本体１０の開放された側面から外部に伝播され得るため、これを防止するために本体１０の両側面に装着されるサイドカバー５０を更に含むことができ、このようなサイドカバー５０には装着を容易にするための突起５１が形成できる。
【００２９】
このように構成された吸音型防音パネル１の施工方法は、セメント又はコンクリートで形成された基礎に固定され、Ｈビーム間に防音パネル１を積層して挿入できる。このとき積層された防音パネル１がＨビームから離脱しないように締結クリップを使用できる。
【００３０】
上で説明した本発明の好ましい実施例は、例示の目的のために開示したものであり、本発明に対する通常の知識を有する当業者であれば、本発明の思想と範囲内で多様な修正、変更、付加が可能なものであり、このような修正、変更及び付加は下記の特許請求の範囲に属すると見なさなければならない。
【符号の説明】
【００３１】
１………吸音型防音パネル
１０………本体
１１………前面
１２………凹部
１３………凸部
１４………吸音ホール
１５………後面
２０………吸音材
【図１】
2012530931.tif 000003
【図２】
2012530931.tif 000004
【図３】
2012530931.tif 000005
【図４】
2012530931.tif 000006
【国際調査報告】
2012530931.tif 000007
2012530931.tif 000008
2012530931.tif 000009
2012530931.tif 000010